(57)【要約】【課題】販売の促進等に有効に用いられる効能伝達方法を提供する。【解決手段】映写空間に実際物品を配置する実際物品の配置工程と、実際物品上に第１の形態を映写により形成する第１の映写工程と、実際物品上に第１の形態が変化した第２の形態を映写により形成する第２の映写工程とからなり、形態の変化を実際物品に対して効能発揮物品を使用した際の実際物品で発揮される効能に基づくものとする、ことを特徴とする効能伝達方法。【選択図】図１
2015036750.tif 000002
【特許請求の範囲】
【請求項１】
映写空間に実際物品を配置する実際物品の配置工程と、前記実際物品上に第１の形態を映写により形成する第１の映写工程と、前記実際物品上に前記第１の形態が変化した第２の形態を映写により形成する第２の映写工程と、からなり、前記変化を前記実際物品に対して効能発揮物品を使用した際の前記実際物品で発揮される効能に基づくものとする、ことを特徴とする効能伝達方法。
【請求項２】
前記実際物品が衣服であり、前記第１の形態が前記衣服に汚れが付着した状態であり、前記第２の形態が前記衣服の汚れが付着しない状態であり、前記効能発揮物品が衣服洗浄剤である請求項１記載の効能伝達方法。
【請求項３】
前記映写に沿って音声提供を行う請求項１または２記載の効能伝達方法。
【請求項４】
前記映写を暗空間において行う請求項１または２記載の効能伝達方法。
【発明の詳細な説明】
【技術分野】
【０００１】
この発明は、商品の展示会場や販売現場において販売を促進する等のために行われる効能伝達方法に関する。
【背景技術】
【０００２】
商品の展示会場や販売現場においては、販売促進のための各種宣伝活動が行われる。例えば、野菜カッター等の小型調理器の場合はそれを使用する実演販売を行うことでその便利さを伝え、また、床用汚れ取り剤の場合は用意した床パネルに汚れを付けて、それに汚れ取り剤を付着してふき取ることでその効能を顧客に伝え、それぞれにおいて販売の促進が図られている。
【先行技術文献】
【特許文献】
【０００３】
【特許文献１】なし
【非特許文献】
【０００４】
【非特許文献１】なし
【発明の概要】
【発明が解決しようとする課題】
【０００５】
上記のそれぞれの販売促進の方法においては、その商品の効能がその場で直接に伝えられることで販売促進効果が高い。これに対し、例えば、洗濯する際に衣服の汚れ部分に塗布しておくことで汚れをとる衣服洗浄剤では、上記のようにその場で直接に効能を伝えることができず、パンフレットを使用しての口頭での説明により効能を伝えることとなる。
【０００６】
この発明では、販売の促進等に有効に用いられる効能伝達方法を提供することを目的とする。
【課題を解決するための手段】
【０００７】
この発明では、映写空間に実際物品を配置する実際物品の配置工程と、前記実際物品上に第１の形態を映写により形成する第１の映写工程と、前記実際物品上に前記第１の形態が変化した第２の形態を映写により形成する第２の映写工程と、からなり、前記変化を前記実際物品に対して効能発揮物品を使用した際の前記実際物品で発揮される効能に基づくものとする、ことを特徴とする効能伝達方法を提供する。
【０００８】
上記構成によれば、映写による第１の形態とそれが変化した第２の形態とが実際物品上において視認できることで、効果発揮物品の効能が明確に印象深く伝達される。
【０００９】
通常、映写は平面であるスクリーン上に行い、その際には物品もそのスクリーン上に映写により形成するが、この発明ではスクリーンに代えて実際の物品を用い、効果発揮物品の使用に伴う第１から第２の形態への変化を表現すべく実際物品上に映写を行う。これにより高いリアル感を創出して、効果発揮物品の効能を明確に印象深く伝達できるようにしている。
【００１０】
この発明は、実際物品（例えば、販売商品の使用対象となる物品）への効果発揮物品（販売商品）の使用の実演が困難な場合、また、効果発揮物品の効能が発揮されるのに時間を要する場合等に有効に用いられる。また、この発明の効能伝達方法は、商品の販売促進現場の他に研究発表等においても有効に用いられる。
【００１１】
例えば、実際物品が衣服であり、第１の形態が衣服に汚れが付着した状態であり、第２の形態が衣服の汚れが付着しない状態であり、効能発揮物品が衣服洗浄剤であることで、衣服洗浄剤を使用することによる汚れの除去効果が明確に印象深く伝達され、これにより、販売促進効果が高められる。また、実際の衣服を用い映写するので人目を引くことによる集客効果が生じ、これによっても販売促進効果が高められる。
【００１２】
映写に沿って説明や作動音等の音声提供を行うことで、効果発揮物品の効能がより明確に印象深く伝達されるとともに、さらに、集客効果も増し、その結果、より高い販売促進効果が得られる。
【００１３】
映写を暗空間おいて行うことで、実際物品への映写内容が明確となって見やすいものとなる。
【発明の効果】
【００１４】
この発明によれば、配置された実際物品への映写において変化が視認できることで効果発揮物品の効能が明確に印象深く伝達される。この発明は、実際物品への効果発揮物品の使用の実演が困難な場合や、効果発揮物品の効能が発揮されるのに時間を要する場合等において、有効に用いられる。また、実際物品を用い映写することで人目を引く効果もあり、この点において、販売現場等における営業活動に用いられることで、高い販売促進効果が得られる。
【図面の簡単な説明】
【００１５】
【図１】この発明の効能伝達方法を行う構成の配置図
【図２】この発明の効能伝達方法の説明図
【図３】この発明の効能伝達方法の説明図
【図４】この発明の効能伝達方法の説明図
【図５】この発明の効能伝達方法の説明図
【発明を実施するための形態】
【００１６】
この実施形態においては、シャツに付着した部分汚れを除去するように、洗濯に際してシャツの汚れの部位に予め含浸させる洗浄剤（効能発揮物品）の効能を伝達する方法について述べる。
【実施例１】
【００１７】
図１はその効能伝達方法を行うための構成を示し、商品の展示会場や販売現場において配置される。１は映写用のプロジェクター、２はスピーカー、３は制御操作用機器、４はトルソー、５はカバー、６はリモートコントローラである。
【００１８】
制御操作用機器３は予めセットされている効能伝達プログラムに基づいて、接続されるプロジェクター１に所定の映写動作及び音声発信動作を行わせ、プロジェクター１は映写機能を発揮するとともに接続されるスピーカー２に音声信号を与える。カバー５は天面部５ａと両側面部５ｂとからなり、背部の壁面８に沿うように設置されることで内部に暗空間Ｎを形成し、この暗空間Ｎ内にトルソー４が配置される。リモートコントローラ６は制御操作用機器３に無線接続され、作業者Ｌに所持されて使用される。
【００１９】
以下、図２〜図５を参照して洗浄剤の効能伝達方法を説明する。トルソー４に実際物品としてのシャツ１０を被着させた状態とし（実際物品の配置工程）、リモートコントローラ６においてスタートボタンを押す。このスタート操作により以下の動作が自動的に順次行われる。
【００２０】
プロジェクター１により動画の映写が開始され、図２に示すように、始めに、シャツ１０上に汚れ模様１２が形成される（第１の形態を映写により形成する第１の映写工程）。その際のプロジェクター１からの映写光はシャツ１０上にのみ照射される。シャツ１０はカバー３に覆われていて暗空間Ｎ内にあり、さらに、映写光がシャツ１０上にのみ照射されることで、シャツ１０が明るく浮かび上がって見えてその一部にある汚れ模様１２が容易に視認される。一方、スピーカー２からはシャツ１０に汚れが付いていることの説明音声が発せられる。
【００２１】
上記、図２の映写状態において、作業者Ｌがシャツ１０に近寄ってその汚れ模様１２位置に洗浄剤をスプレーする模倣動作を行い、その後、映写状態が図３から図４に変化される。図３から図４への映写状態はシャツ１０が洗濯機内で洗濯される状態を演出しており、映写光はシャツ１０を囲む大きなエリア１４に照射され、かつ、そのエリア１４の全体に多数の泡模様１５が移動形成される。このように図３から図４へ映写状態が変化していくことで、洗濯動作にともなって汚れ模様１２が徐々に消えていくことが視認できる。一方、図３から図４への映写に伴っては、スピーカー２から洗濯時に生じる水流音が発せられる。
【００２２】
次に、図５の映写状態に切り替えられ（第２の形態を映写により形成する第２の映写工程）、汚れ模様１２の無い状態のシャツ１０のみに照射光が照射され、一方ではスピーカー２から汚れの除去されたことの説明音声が発せられる。
【００２３】
顧客は、上記の図２から図５の映写を見ることで、洗浄剤を使用することでシャツから汚れが除去されることが認識できる。とくに、映写が実際のシャツ１０上に行われ、汚れが除去されていく経過を音声とともにリアルに見ることができるので、洗浄剤の効能を明確に、心象深く認識できる。これにより多数の顧客を集めての洗浄剤の効能伝達が効果的になされる。
【符号の説明】
【００２４】
１    映写用のプロジェクター
２    スピーカー
３    制御操作用機器
４    トルソー
５    カバー
６    リモートコントローラ
１０    シャツ（実際物品）
【図１】
2015036750.tif 000003
【図２】
2015036750.tif 000004
【図３】
2015036750.tif 000005
【図４】
2015036750.tif 000006
【図５】
2015036750.tif 000007